(57)【要約】【課題】障子をスムーズに開閉できる内窓を提供すること。【解決手段】窓枠１は、建物の開口部に設けられた枠体２０と、枠体２０内に配置される障子６０，７０と、枠体２０の上枠２１を上方側から覆うように形成されるとカバー部材５０と、上枠２１とカバー部材５０との間に配置され、弾性反発力を発現可能な弾性部材４０と、を備えた内窓１において、弾性部材４０が弾性反発力を発現した状態で上枠２１を支持する支持構造１０２を有する。【選択図】図３
2018059291.tif 000002
【特許請求の範囲】
【請求項１】
建物の開口部に設けられた枠体と、
前記枠体内に配置される障子と、
前記枠体の上枠を上方側から覆うように形成されるとカバー部材と、
前記上枠と前記カバー部材との間に配置され、弾性反発力を発現可能な弾性部材と、を備えた内窓において、
前記弾性部材が弾性反発力を発現した状態で前記上枠を支持する支持構造を有する内窓。
【請求項２】
前記内窓は、二重窓における外窓の屋内側に配置されると共に、前記上枠の上部の少なくとも一部に配置され且つ前記上枠と一体又は別体で形成される補強部を更に備え、
前記障子は、第１障子及び第２障子から構成され、
前記上枠は、建物の開口部に設けられた枠部における上部の下面である枠部下面の下方に配置され、
前記カバー部材は、前記補強部及び前記上枠を上方側から覆うように形成されると共に前記枠部下面に固定され、
前記弾性部材は、前記補強部または前記上枠と、前記カバー部材との間に配置され、前記枠部下面に前記上枠を固定した状態において弾性反発力を発現可能である請求項１に記載の内窓。
【請求項３】
前記補強部は、前記第１障子と前記第２障子との召合せ部に設けられる請求項２に記載の内窓。
【請求項４】
前記補強部及び／又は前記上枠は、上下方向に延びる第１側面を有し、
前記カバー部材は、前記第１側面に対向して配置されると共に前記第１側面の見込方向の位置を規制する第２側面を有する請求項２又は３に記載の内窓。
【請求項５】
前記上枠における屋内側の端部は、前記カバー部材における屋内側の端部よりも屋外側に配置されており、
前記上枠における屋内側の端部の下端部は、前記カバー部材における屋内側の端部の下端部よりも下方に位置する請求項２から４のいずれかに記載の内窓。
【請求項６】
前記上枠は、樹脂製である請求項１から５のいずれかに記載の内窓。
【請求項７】
二重窓における外窓の屋内側に配置される内窓の施工方法であって、
弾性反発力を発現可能な弾性部材が取り付けられたカバー部材を、建物の開口部に設けられた枠部における上部の下面である枠部下面に固定する第１工程と、
前記第１工程の後に、補強部が配置された上枠を、前記補強部が前記弾性部材を前記カバー部材側に押圧するように配置した状態で、前記上枠を前記枠部下面に固定する第２工程と、
前記第２工程の後に、前記上枠を有する枠体に、第１障子及び第２障子を組み込む第３工程と、を備える内窓の施工方法。
【請求項８】
前記第３工程の後に、前記枠部下面に対する前記上枠の位置を調整する第４工程を備える請求項７に記載の内窓の施工方法。
【発明の詳細な説明】
【技術分野】
【０００１】
本発明は、内窓に関する。詳しくは、二重窓における外窓の屋内側に配置される内窓に関する。
【背景技術】
【０００２】
従来、建物の開口部に、内窓と外窓とが二重に設けられて構成される二重窓が知られている（例えば、特許文献１及び２参照）。二重窓は、窓を二重にすることで、断熱性能を高めることができると共に、防音性を高くすることができる。特許文献１及び２に記載の二重窓においては、内窓の上枠と建物の開口部に設けられた枠との間にスポンジ部材を配置することで、より断熱性能を向上させ、より防音性を向上させるように構成されている。二重窓は、新築時に外窓と内窓とを同時に設けることや、既設の窓の屋内側に、リフォームにより内窓を追加することで設けることもできる。
【先行技術文献】
【特許文献】
【０００３】
【特許文献１】実公昭６０−２８７６８号公報
【特許文献２】実開昭５８−９４８２号公報
【発明の概要】
【発明が解決しようとする課題】
【０００４】
特許文献１及び２に記載の内窓においては、スポンジ部材は、内窓の上枠と建物の開口部に設けられた枠との間に配置される。そのため、スポンジ部材の弾性反発力により上枠が下方に移動して、上枠は、上枠の下方に配置された障子に当接する可能性がある。上枠が障子に当接した場合には、上枠と障子との間に摩擦力が発生して、障子をスムーズに開閉できないことがあった。
【０００５】
本発明は、障子をスムーズに開閉できる内窓を提供することを目的とする。
【課題を解決するための手段】
【０００６】
本発明は、建物の開口部に設けられた枠体（例えば、後述の窓枠２０）と、前記枠体内に配置される障子（例えば、後述の内障子６０、外障子７０）と、前記枠体の上枠（例えば、後述の上枠２１）を上方側から覆うように形成されるとカバー部材（例えば、後述の上枠カバー部材５０）と、前記上枠と前記カバー部材との間に配置され、弾性反発力を発現可能な弾性部材（例えば、後述のスポンジ部材４０）と、を備えた内窓において、前記弾性部材が弾性反発力を発現した状態で前記上枠を支持する支持構造（例えば、調整固定ネジ１０２）を有する内窓（例えば、後述の内窓１）に関する。
【０００７】
前記内窓は、二重窓（例えば、後述の二重窓１００）における外窓の屋内側に配置されると共に、前記上枠の上部の少なくとも一部に配置され且つ前記上枠と一体又は別体で形成される補強部（例えば、後述の補強部材３０）を更に備え、前記障子は、第１障子（例えば、後述の内障子６０）及び第２障子（例えば、後述の外障子７０）から構成され、前記上枠は、建物の開口部に設けられた枠部（例えば、後述の枠部１０）における上部の下面である枠部下面（例えば、後述の下面１０ａ）の下方に配置され、前記カバー部材は、前記補強部及び前記上枠を上方側から覆うように形成されると共に前記枠部下面に固定され、前記弾性部材は、前記補強部または前記上枠と、前記カバー部材との間に配置され、前記枠部下面に前記上枠を固定した状態において弾性反発力を発現可能であることが好ましい。
【０００８】
また、前記補強部は、前記第１障子と前記第２障子との召合せ部（例えば、後述の召合せ部８０）に設けられることが好ましい。
【０００９】
また、前記補強部及び／又は前記上枠は、上下方向に延びる第１側面（例えば、後述の外側面３０ａ）を有し、前記カバー部材は、前記第１側面に対向して配置されると共に前記第１側面の見込方向の位置を規制する第２側面（例えば、後述の内側面５０ａ）を有することが好ましい。
【００１０】
前記上枠における屋内側の端部は、前記カバー部材における屋内側の端部よりも屋外側に配置されており、前記上枠における屋内側の端部の下端部は、前記カバー部材における屋内側の端部の下端部よりも下方に位置することが好ましい。
【００１１】
前記上枠は、樹脂製であることが好ましい。
【００１２】
また、本発明は、二重窓における外窓の屋内側に配置される内窓の施工方法であって、
弾性反発力を発現可能な弾性部材が取り付けられたカバー部材を、建物の開口部に設けられた枠部における上部の下面である枠部下面に固定する第１工程と、前記第１工程の後に、補強部が配置された上枠を、前記補強部が前記弾性部材を前記カバー部材側に押圧するように配置した状態で、前記上枠を前記枠部下面に固定する第２工程と、前記第２工程の後に、前記上枠を有する枠体に、第１障子及び第２障子を組み込む第３工程と、を備える内窓の施工方法に関する。
【００１３】
また、前記第３工程の後に、前記枠部下面に対する前記上枠の位置を調整する第４工程を備えることが好ましい。
【発明の効果】
【００１４】
本発明によれば、障子をスムーズに開閉できる内窓を提供することができる。
【図面の簡単な説明】
【００１５】
【図１】本発明の一実施形態に係る内窓を屋内側から見た正面図である。
【図２】上記実施形態に係る内窓の召合せ部の上部の構造を示す斜視図である。
【図３】上記実施形態に係る内窓の図１のＡ−Ａ線断面図である。
【図４】上記実施形態に係る内窓の固定ネジ及び調整固定ネジの取り付け箇所を示す断面斜視図である。
【図５】内窓の施工方法を示す模式図であって、（ａ）は、縦枠、及び、スポンジ部材が取り付けられた上枠カバー部材を枠部に取り付ける場合を示す図であり、（ｂ）は、補強部材が配置された上枠及び下枠を枠部に取り付ける場合を示す図である。
【図６】内窓の施工方法を示す模式図であって、（ａ）は、上枠を調整固定ネジで取り付け、下枠を固定ネジで取り付ける場合を示す図であり、（ｂ）は、内障子及び外障子を窓枠に取り付ける場合を示す図であり、（ｃ）は、調整固定ネジを調整する場合を示す図である。
【発明を実施するための形態】
【００１６】
以下、本発明の一実施形態について、図面を参照しながら詳しく説明する。なお、本明細書において、「見付方向」とは、建物の壁に形成された開口部に納められた内窓１におけるガラスの面方向（即ち、左右方向）を意味し、「見込方向」とは、上記ガラスの厚さ方向（即ち、奥行き方向）を意味する。
【００１７】
図１は、本発明の一実施形態に係る内窓１を屋内側から見た正面図である。より詳しくは、内障子６０および外障子７０を閉鎖したときの本実施形態に係る内窓１を、屋内側から見た正面図である。図２は、上記実施形態に係る内窓１の召合せ部８０の上部の構造を示す斜視図である。図３は、上記実施形態に係る内窓１の図１のＡ−Ａ線断面図である。図４は、上記実施形態に係る内窓１の固定ネジ１０１及び調整固定ネジ１０２の取り付け箇所を示す断面斜視図である。
【００１８】
本実施形態の内窓１は、二重窓１００のうちの屋内側の窓を構成する。二重窓１００は、建物の壁に形成された開口部に納められる。開口部には、図１に示すように方形状に枠組みされた枠部１０が取り付けられている。枠部１０としては、例えば、木製の木枠や、アルミ製のアルミ枠などを挙げることができる。また、枠部１０には、例えば、額縁も含まれる。二重窓１００は、建物の開口部に設けられた枠部１０に外窓（図示せず）を設置し、外窓の屋内側に内窓１を設置することで、二重の窓となる。
【００１９】
外窓（図示せず）は、二重窓１００のうちの屋外側の窓を構成する。内窓１よりも屋外側に配置される（図２及び図３における外窓側）。外窓（図示せず）は、いわゆる引き違い窓であり、図示を省略するが、方形状に枠組みされた窓枠内に、内障子と外障子とを開閉可能に嵌め込んで構成される。
【００２０】
内窓１は、外窓（図示せず）の屋内側に配置される。本実施形態においては、内窓１は、外窓（図示せず）が取り付けられた後において、リフォームにより、外窓の屋内側に設置される。なお、二重窓１００は、リフォームにより内窓を外窓の屋内側に追加して設ける場合に限られず、新築時に外窓と内窓とを同時に設けてもよい。
【００２１】
内窓１は、いわゆる引き違い窓であり、図１〜図３に示すように、窓枠２０と、窓枠２０内に開閉可能に嵌め込まれた内障子６０（第１障子）及び外障子７０（第２障子）と、補強部材３０と、一対のスポンジ部材４０，４０（弾性部材）と、上枠カバー部材５０（カバー部材）と、複数の固定ネジ１０１と、複数の調整固定ネジ１０２（支持構造）と、を備える。
【００２２】
窓枠２０の内側には、内障子６０及び外障子７０が組み付けられる。窓枠２０は、枠部１０の内部において、上下方向の位置を調整して配置可能である。窓枠２０は、いずれも長尺状の上枠２１、下枠２２および左右の縦枠２３，２４により矩形に枠組みされている。窓枠２０は、樹脂枠で構成される。樹脂枠は、樹脂製であり、例えば塩化ビニル樹脂等の合成樹脂の押出し成形品により構成される。
【００２３】
上枠２１は、図２に示すように、長尺状に形成され、窓枠２０の上部において見付方向に延びる樹脂枠である。上枠２１は、枠部１０の上部の下面１０ａの下方において、枠部１０の上部の下面に沿って配置される。上枠２１は、調整固定ネジ１０２により、上下方向の位置が調整された状態で、枠部１０の上部の下面１０ａに取り付けられる。枠部１０の上部の下面１０ａと上枠２１との間には、図３に示すように、上枠カバー部材５０の天面板５１、スポンジ部材４０及び補強部材３０が配置される。
【００２４】
上枠２１は、図３に示すように、内障子用上部レール２１１と、外障子用上部レール２１２と、上枠下方延出壁部２１３と、を有する。内障子用上部レール２１１は、上枠２１の屋内側の下面において、下方に垂設される。外障子用上部レール２１２は、上枠２１の外窓側（屋外側）の下面において、下方に垂設される。内障子用上部レール２１１，外障子用上部レール２１２には、内障子６０又は外障子７０の上端部に形成された内障子用上部ガイド６５１，外障子用上部ガイド７５１（後述）が係合する。これにより、内障子６０又は外障子７０が窓枠２０内を見付方向にスムーズにスライド可能となっている。
【００２５】
上枠２１が内障子用上部レール２１１及び外障子用上部レール２１２を備えることで、上枠がレールを有さない断面凹字形、いわゆるドブ溝状の障子案内部よりも、気密材をレールの近傍に配置できるため、見込方向の寸法を小さくできる。そのため、内障子６０及び外障子７０を開閉する力を小さくすることができる。
また、いわゆるドブ溝状の障子案内部のように内障子６０又は外障子７０を見付方向への移動を規制して見込方向にガイドする枠状に形成せずに、上枠から下方に延びる内障子用上部レール２１１及び外障子用上部レール２１２だけを設ければよいため、コストを低減しつつ、内障子６０又は外障子７０を見付方向への移動を規制して見込方向にガイドする性能を向上できる。
また、上枠２１が内障子用上部レール２１１及び外障子用上部レール２１２は、上枠２１に対して、内障子６０及び外障子７０を安定して支持する。
【００２６】
上枠下方延出壁部２１３は、図３に示すように、上枠２１における見込方向の屋内側の端部において、下方に所定長さ延びる。上枠下方延出壁部２１３の下端部２１３ａは、後述する上枠カバー部材５０の側面板５２の下端部５２ａよりも低い位置にある。
【００２７】
本実施形態においては、上枠下方延出壁部２１３の下端部２１３ａの上下方向の位置は、上枠２１の上下方向の移動により変化する。上枠下方延出壁部２１３の下端部２１３ａの最も上方側の位置は、上枠２１が上下方向に移動した場合に、補強部材３０の上方延出片３３の上端部３３ａが上枠カバー部材５０の天面板５１の下面に当接した場合の位置である。
【００２８】
また、上枠２１の下面には、長手方向の所定の位置に、屋外側からの風の侵入を防ぐ風止め板（図示せず）が設けられている。
【００２９】
下枠２２は、図１に示すように、長尺状に形成され、窓枠２０の下部において見付方向に延びる樹脂枠である。下枠２２は、枠部１０の下部の上面に沿って配置され、枠部１０の下部の上面に取り付けられる。
【００３０】
下枠２２は、内障子用下部レール２２１（図６（ｂ）参照）と、外障子用下部レール２２２（図６（ｂ）参照）と、を有する。内障子用下部レール２２１は、下枠２２の屋内側の上面において、上方に立設される。外障子用下部レール２２２は、下枠２２の外窓側（屋外側）の上面において、上方に立設される。内障子用下部レール２２１，外障子用下部レール２２２には、内障子６０又は外障子７０の下端部に形成された内障子用下部ガイド６５２，外障子用下部ガイド７５２（図６（ｂ）参照）が係合する。これにより、内障子６０又は外障子７０が窓枠２０内を見付方向にスムーズにスライド可能となっている。
【００３１】
左右の縦枠２３，２４は、図１に示すように、上枠２１及び下枠２２の見付方向の両端部において上下方向に延びる樹脂枠である。左右の縦枠２３，２４は、長尺状に形成され、窓枠２０の側部を構成する。縦枠２３，２４は、枠部１０の左右の内側面に沿って配置され、枠部１０の左右の側面に取り付けられる。
【００３２】
補強部材３０は、図１〜図３に示すように、上枠２１の上部に配置される。補強部材３０は、内窓１における見付方向の略中央部において、召合せ部８０の上部に配置される。召合せ部８０は、内障子６０と外障子７０との閉鎖時において、内障子６０と外障子７０とが対向して重なる部分である。補強部材３０は、例えば、金属製の板材を加工して形成され、剛性を有する。本実施形態においては、補強部材３０は、例えば、アルミ材料で形成される。
【００３３】
補強部材３０は、図３に示すように、見付方向に見た場合に、略Ｈ形状に形成される。補強部材３０は、図２に示すように、補強部材本体板３１と、補強部材本体板３１における見付方向の略中央において下方に延びる一対の下方延出片３２，３２と、補強部材本体板３１の補強部材本体板３１における見付方向の両端部において上方に延びる２組の一対の上方延出片３３，３３，３３，３３と、を有する。
【００３４】
補強部材本体板３１は、長方形状の水平板状に形成され、見込方向及び見付方向に延びる。補強部材本体板３１は、図１及び図２に示すように、見付方向において、召合せ部８０が存在する範囲よりも広い範囲に亘って延びて形成され、召合せ部８０における見付方向の長さよりも長く形成される。補強部材本体板３１は、図３に示すように、見込方向において、上枠２１の見込方向の長さとほぼ同じ長さに形成される。
【００３５】
下方延出片３２及び上方延出片３３は、図２に示すように、補強部材本体板３１の見込方向の両端部に沿って、上方延出片３３、下方延出片３２、上方延出片３３の順に、見付方向に沿って、交互に配置されている。
【００３６】
一対の下方延出片３２，３２は、それぞれ、長方形状の板状に形成され、見付方向に沿って延びると共に、下方に向けて延びる。一対の下方延出片３２，３２は、それぞれ、補強部材本体板３１における見込方向の両端において、補強部材本体板３１における見付方向の略中央から下方に延びる。
【００３７】
２組の一対の上方延出片３３，３３，３３，３３は、それぞれ、長方形状の板状に形成され、見付方向に沿って延びると共に、下方に向けて延びる。２組の一対の上方延出片３３，３３，３３，３３は、それぞれ、補強部材本体板３１における見込方向の両端において、見付方向における下方延出片３２を挟んだ両側において上方に延びる。上方延出片３３の上端部３３ａは、図３に示すように、補強部材３０が上下方向に移動した場合に、上枠カバー部材５０の天面板５１の内面に当接するため、補強部材３０の上方側への移動を規制する。
【００３８】
下方延出片３２及び上方延出片３３は、図３に示すように、見付方向に見た場合に、補強部材本体板３１の見込方向の両端部から上下方向に延び、上下方向に直線上に配置されている。下方延出片３２の内面は、上枠２１の上部の外側の側面に対向して配置される。見付方向に見た場合に、下方延出片３２の外面及び上方延出片３３の外面に亘って形成される外側面３０ａ（第１側面）は、上枠カバー部材５０（後述）の側面板５２の内側面５０ａ（第２側面）に対向して配置される。
【００３９】
補強部材３０の下方延出片３２及び上方延出片３３の外側面３０ａは、補強部材３０の見込方向の両端部において、上下方向に延びる。上枠カバー部材５０（後述）の側面板５２の内側面５０ａは、上枠カバー部材５０の見込方向の両端部において、上下方向に延び、下方延出片３２及び上方延出片３３の外側面３０ａに対向して配置される。これにより、上枠カバー部材５０の側面板５２の内側面５０ａは、下方延出片３２及び上方延出片３３の外側面３０ａの見込方向の位置を規制する。
【００４０】
一対のスポンジ部材４０，４０は、図３に示すように、補強部材３０の補強部材本体板３１の上面と、上枠カバー部材５０の天面板５１の下面と、の間に配置される。一対のスポンジ部材４０，４０は、それぞれ、上枠カバー部材５０の天面板５１の下面に、貼着部材（図示せず）により貼り付けられた状態で、補強部材３０の上部に配置される。一対のスポンジ部材４０，４０は、見込方向に離間して配置されている。一対のスポンジ部材４０，４０は、それぞれ、直方体形状に形成され、内窓１の見付方向の全域に亘って延びる。スポンジ部材４０は、例えば、ポリエチレン樹脂で構成される。スポンジ部材４０は、所定の圧縮率で形成され、枠部１０の下面１０ａに上枠２１を固定した状態において、弾性反発力を発現可能である。
【００４１】
上枠カバー部材５０は、図２及び図３に示すように、下方に開放する断面視略コ字状（略逆Ｕ字状）の長尺状に形成され、内窓１の見付方向の略全域に亘って延びる。上枠カバー部材５０は、補強部材３０、一対のスポンジ部材４０，４０、上枠２１を、上方から覆うように形成される。本実施形態においては、上枠カバー部材５０は、例えば、樹脂製である。
【００４２】
上枠カバー部材５０は、図３に示すように、天面板５１と、一対の側面板５２，５２と、を有する。
天面板５１は、長方形状の平板状に形成される。天面板５１には、図２及び図４に示すように、複数の円形状の固定ネジ用孔５０１と、複数の長孔状の調整固定ネジ用孔５０２と、が形成されている。
【００４３】
複数の円形状の固定ネジ用孔５０１は、天面板５１の見付方向に並んで複数設けられる。固定ネジ用孔５０１には、図４に示すように、上枠カバー部材５０を枠部１０に固定するための固定ネジ１０１が貫通して配置される。固定ネジ用孔５０１は、固定ネジ１０１が貫通する正円形状に形成される。固定ネジ用孔５０１に固定ネジ１０１が挿通され、固定ネジ１０１の頭部が、天面板５１の下面における固定ネジ用孔５０１の周縁に係止されると共に、固定ネジ１０１の先端部が枠部１０にねじ込まれることで、上枠カバー部材５０は、枠部１０の上部の下面１０ａに、複数の固定ネジ１０１により固定される。
【００４４】
複数の固定ネジ１０１は、複数の固定ネジ用孔５０１が形成される位置に対応して、見付方向に沿って並んで配置される。複数の固定ネジ１０１は、見付方向において補強部材３０が配置されていない位置において、見込方向における一対のスポンジ部材４０，４０の間に配置されている。
【００４５】
複数の調整固定ネジ用孔５０２は、天面板５１の見付方向に並んで複数設けられる。調整固定ネジ用孔５０２には、図４に示すように、上枠２１を枠部１０に固定するための調整固定ネジ１０２が貫通して配置される。調整固定ネジ１０２の頭部が、上枠２１の上部の下面に係止されると共に、調整固定ネジ１０２の胴部が、調整固定ネジ用孔５０２に貫通して配置され、調整固定ネジ１０２の先端部が枠部１０にねじ込まれることで、上枠２１は、枠部１０の上部の下面１０ａに、複数の調整固定ネジ１０２により固定される。
【００４６】
また、調整固定ネジ用孔５０２は、見付方向に延びる長孔状に形成される。そのため、調整固定ネジ用孔５０２の長孔に沿って上枠カバー部材５０を見付方向に移動させることで、上枠カバー部材５０の見付方向の位置を調整した状態で、調整固定ネジ１０２により、上枠２１を枠部１０に固定することができる。
【００４７】
複数の調整固定ネジ１０２は、上枠２１を、上下方向の位置を調整して、枠部１０の上部の下面１０ａに固定する。複数の調整固定ネジ１０２は、複数の調整固定ネジ用孔５０２が形成される位置に対応して、見付方向に沿って並んで配置される。複数の調整固定ネジ１０２は、見付方向において補強部材３０及び風止め板（図示せず）が配置されていない位置において、一対のスポンジ部材４０，４０の間において、上下方向に沿って配置されている。
【００４８】
一対の側面板５２，５２は、それぞれ、長方形状の平板状に形成され、天面板５１の見込方向の両端部から下方に延びる。一対の側面板５２，５２の内側面５０ａは、補強部材３０の外側面３０ａに対向する。一対の側面板５２，５２の内側面５０ａが補強部材３０の外側面３０ａに対向する位置は、調整固定ネジ１０２における取り付け位置により、上下方向に移動する。
【００４９】
ここで、上枠２１の上枠下方延出壁部２１３は、図３に示すように、上枠カバー部材５０の側面板５２よりも屋内側に配置されている。上枠２１及び補強部材３０は、上枠カバー部材５０の内部において上下方向に移動する。上枠２１及び補強部材３０は、一体的に上下方向に移動可能であり、スポンジ部材４０を上方側に押圧している。本実施形態においては、上枠２１の上枠下方延出壁部２１３（屋外側の端部）の下端部２１３ａは、上枠カバー部材５０の側面板５２（屋外側の端部）の下端部５２ａよりも下方に位置する。本実施形態においては、この位置関係は、上枠２１及び補強部材３０が上下方向に移動しても変化しないように構成されている。
【００５０】
具体的には、上枠２１及び補強部材３０が最も上方に位置する場合において、図３に示すように、上枠下方延出壁部２１３の下端部２１３ａの位置Ｈ２と上枠カバー部材５０の側面板５２の下端部５２ａの位置Ｈ１との高さの位置関係（Ｈ１＞Ｈ２）は、変化しないように設定されている。
【００５１】
詳細には、本実施形態においては、補強部材３０の上方延出片３３の上端部３３ａから、上枠２１の上枠下方延出壁部２１３の下端部２１３ａまでの長さＬ２は、上枠カバー部材５０の天面板５１の下面から上枠カバー部材５０の側面板５２の下端部５２ａまでの長さＬ１よりも長い（Ｌ２＞Ｌ１）。そのため、上枠２１及び補強部材３０が最も上方に位置する場合（補強部材３０の上方延出片３３の上端部３３ａが上枠カバー部材５０の天面板５１の下面に当接した場合の位置）において、上枠２１の上枠下方延出壁部２１３の下端部２１３ａの位置Ｈ２は、上枠カバー部材５０の側面板５２の下端部５２ａの位置Ｈ１よりも下方に位置する（Ｈ１＞Ｈ２）。これは、スポンジ部材４０が劣化した場合においても同じである。
【００５２】
これにより、上枠２１及び補強部材３０の位置が上下方向のいずれの位置に位置していても、上枠２１が上枠カバー部材５０に入り込むことが抑制されて、上枠２１の上枠下方延出壁部２１３の下端部２１３ａは、上枠カバー部材５０の側面板５２の下端部５２ａよりも下方に突出する。これにより、内障子６０の上部が屋内側に脱落しないように、内障子６０の上部が規制される。また、スポンジ部材４０が劣化した場合においても、内障子６０の上部が屋内側に脱落しないように、内障子６０の上部が規制される。
【００５３】
内障子６０および外障子７０は、いずれも引き戸であり、これらを見付方向にスライドさせることで、開口部が閉鎖又は開放される、いわゆる引き違い窓を構成する。
【００５４】
内障子６０は、図１に示すように、いずれも長尺状の上框６１、下框６２および左右の縦框である召内框６３，戸先框６４により矩形に枠組みされた框体６５と、框体６５内に嵌め込まれて固定されたガラス６６と、を含んで構成される。框体６５は、樹脂框体で構成される（樹脂製である）。樹脂框体は、例えば塩化ビニル樹脂等の合成樹脂の押出し成形品により構成される。
【００５５】
上框６１、召内框６３及び戸先框６４の上部には、図３に示すように、上方に向けて開放する内障子用上部ガイド６５１が形成される。内障子用上部ガイド６５１は、内障子用上部レール２１１の見付方向への移動をガイドする。
下框６２、召内框６３及び戸先框６４の下部には、下方に向けて開放する内障子用下部ガイド６５２（図６（ｂ）参照）が形成される。内障子用下部ガイド６５２は、内障子用下部レール２２１の見付方向への移動をガイドする。
【００５６】
外障子７０は、図１に示すように、いずれも長尺状の上框７１、下框７２および左右の縦框である召外框７３，戸先框７４により矩形に枠組みされた框体７５と、框体７５内に嵌め込まれて固定されたガラス７６と、を含んで構成される。框体７５は、樹脂框体で構成される（樹脂製である）。樹脂框体は、例えば塩化ビニル樹脂等の合成樹脂の押出し成形品により構成される。
【００５７】
上框７１、召外框７３及び戸先框７４の上部には、図３に示すように、上方に向けて開放する外障子用上部ガイド７５１が形成される。外障子用上部ガイド７５１は、外障子用上部レール２１２の見付方向への移動をガイドする。
下框７２、召外框７３及び戸先框７４の下部には、下方に向けて開放する外障子用下部ガイド７５２（図６（ｂ）参照）が形成される。外障子用下部ガイド７５２は、外障子用下部レール２２２の見付方向の移動をガイドする。
【００５８】
内障子６０と外障子７０の召合せ部８０には、図１に示すように、戸締り用のクレセント錠６３１が設けられている。クレセント錠６３１は、召内框６３の外障子７０側の見込面に設けられている。
【００５９】
以上のように構成される内窓１について、召合せ部８０において、窓枠２０の上枠２１と上枠カバー部材５０との間に補強部材３０及びスポンジ部材４０を設けたことによる作用について説明する。
例えば、内窓１に風が吹き付けた場合に、内窓１に作用する風圧は、内障子６０及び外障子７０を伝達して、内障子６０及び外障子７０が重なる召合せ部８０に集中しやすい。そのため、本発明においては、召合せ部８０における上枠２１の上面に金属製の補強部材３０配置し、上枠カバー部材５０と補強部材３０との間にスポンジ部材４０を配置して、スポンジ部材４０を圧縮させた状態で、調整固定ネジ１０２で、上枠２１と枠部１０とを固定した。
【００６０】
これにより、内窓１に風圧が作用しても、上枠２１の上部における召合せ部８０において、補強部材３０の補強部材本体板３１に伝達された力がスポンジ部材４０に逃がされて、スポンジ部材４０に吸収される。そして、召合せ部８０における上枠２１において補強部材３０で受けた力を、スポンジ部材４０で分散させることができる。これにより、風圧に対する強度を向上できる。
【００６１】
また、本実施形態においては、補強部材３０の上下方向に延びる外側面３０ａは、上枠カバー部材５０の内側面５０ａに対向して配置され、補強部材３０の外側面３０ａの見込方向の位置を規制する。そのため、上枠２１の上部における召合せ部８０において、上枠カバー部材５０に対して、召合せ部８０が延びる方向に沿って形成される軸を中心に回転しようとする力が作用しても、補強部材３０の外側面３０ａが、上枠カバー部材５０の側面板５２の内側面５０ａに対向して配置されるため、見込方向の位置が規制されて、補強部材３０の水平が保持される。これにより、上枠カバー部材５０が回転しようとする風圧による力が作用しても、上枠２１の見込方向の位置が規制されることで、召合せ部８０に配置される部材のねじれや回転が低減されて、風圧に対する強度を向上できる。
【００６２】
次に、内窓１の施工方法について説明する。図５は、内窓１の施工方法を示す模式図であって、図５（ａ）は、縦枠２３，２４、及び、スポンジ部材４０が取り付けられた上枠カバー部材５０を枠部１０に取り付ける場合を示す図であり、図５（ｂ）は、補強部材３０が配置された上枠２１及び下枠２２を枠部１０に取り付ける場合を示す図である。図６は、内窓１の施工方法を示す模式図であって、図６（ａ）は、上枠２１を調整固定ネジ１０２で取り付け、下枠２２を固定ネジ１０１で取り付ける場合を示す図であり、図６（ｂ）は、内障子６０及び外障子７０を窓枠２０に取り付ける場合を示す図であり、図６（ｃ）は、調整固定ネジ１０２を調整する場合を示す図である。
【００６３】
まず、図５（ａ）に示すように、弾性反発力を発現可能なスポンジ部材４０が取り付けられた上枠カバー部材５０を、複数の固定ネジ１０１により、建物の開口部に設けられた枠部１０の上部の下面１０ａに固定する（第１工程）。また、左右の縦枠２３，２４を、複数の固定ネジ１０１により枠部１０に固定する。
【００６４】
次に（第１工程の後に）、図５（ｂ）及び図６（ａ）に示すように、内障子６０と外障子７０との召合せ部８０（図１参照）に対応する位置の上部に補強部材３０が配置された上枠２１を、補強部材３０がスポンジ部材４０を上枠カバー部材５０側に押圧するように配置した状態で、複数の調整固定ネジ１０２により、上枠２１を枠部１０の上部の下面１０ａに仮固定する（第２工程）。また、下枠２２を枠部１０の下部の上面に固定する。
【００６５】
具体的には、上枠２１を枠部１０に取り付ける場合には、図５（ｂ）に示すように、上枠２１を、見付方向の両端部が上方側に位置するように反わせて撓ませて、上枠２１の見付方向の両端部２１ａ，２１ａを、左右の縦枠２３，２４の係止部２３ａ，２４ａに係止させる。その後、図６（ａ）に示すように、上枠２１を、複数の調整固定ネジ１０２により、枠部１０に仮固定する。
【００６６】
また、下枠２２を枠部１０に取り付ける場合には、図５（ｂ）に示すように、下枠２２を、見付方向の両端部を下方側に位置するように沿わせて撓ませて、下枠２２の見付方向の両端部２２ａ，２２ａを、左右の縦枠２３，２４の係止部２３ｂ，２４ｂに係止させる。その後、図６（ａ）に示すように、下枠２２を、複数の固定ネジ１０１により、枠部１０に固定する。
【００６７】
次に（第２工程の後に）、図６（ｂ）に示すように、窓枠２０に、第１障子６０及び第２障子７０を組み込む（第３工程）。具体的には、図６（ｂ）に示すように、内障子６０及び外障子７０を、窓枠２０内に、いわゆるケンドン式にて嵌め込まれる。
【００６８】
外障子７０をケンドン式で窓枠２０に組み込む場合には、図６（ｂ）に示すように、外障子７０の上部を内窓１の窓枠２０の内部側に傾けて、外障子７０を徐々に立てながら、上方側に持ち上げて、外障子７０の上部の外障子用上部ガイド７５１を上枠２１の外障子用上部レール２１２に嵌め込み、上方側に更に持ち上げた後に、下方側に下ろすことで、図６（ｃ）に示すように、外障子７０の下部の外障子用下部ガイド７５２を下枠２２の外障子用下部レール２２２に嵌め込む。
同様に、内障子６０をケンドン式で窓枠２０に組み込む場合には、図６（ｂ）に示すように、内障子６０の上部を内窓１の窓枠２０の内部側に傾けて、内障子６０を徐々に立てながら、上方側に更に持ち上げて、内障子６０の上部の内障子用上部ガイド６５１を上枠２１の内障子用上部レール２１１に嵌め込み、上方側に更に持ち上げた後に、下方側に下ろすことで、図６（ｃ）に示すように、内障子６０の下部の内障子用下部ガイド６５２を下枠２２の内障子用下部レール２２１に嵌め込む。
【００６９】
ここで、上枠２１の上枠下方延出壁部２１３の下端部２１３ａは、上枠カバー部材５０の側面板５２の下端部５２ａよりも下方に突出する。これにより、内障子６０の上部が屋内側に脱落しないように、内障子６０の上部が規制される。よって、内障子６０を、上部側において屋内側への脱落を抑制した状態で、窓枠２０内に組み込むことができる。
【００７０】
次に（第３工程の後に）、枠部１０の上部の下面１０ａに対する上枠２１の位置を調整するように、仮固定した上枠２１を、調整固定ネジ１０２により、枠部１０の上部の下面に本固定する（第４工程）。調整固定ネジ１０２の頭部は上枠２１の下面において上枠２１を係止するため、調整固定ネジ１０２の頭部は上枠２１の下面に露出している。そのため、内障子６０及び外障子７０を窓枠２０に組み込んだ状態においても、調整固定ネジ１０２を調整することで、枠部１０の上部の下面１０ａに対する上枠２１の位置を容易に調整することができる。
【００７１】
ここで、例えば、リフォームにより、内窓１を後付けで設ける場合には、経年劣化などにより、枠部１０が見込方向に対して水平ではなく反っている場合がある。経年劣化などにより枠部１０が反っていても、上枠カバー部材５０を枠部１０の下面１０ａの反りに沿わせて取り付けて、スポンジ部材４０により反りを吸収することで、上枠２１を見込方向に対して水平に取り付けることができる。従って、上枠２１を、枠部１０の上部の下面１０ａに、容易に固定することができる。
【００７２】
ここで、従来より、一般的に、二重窓においては、外窓は、二重窓における屋外側に配置されている。そのため、外窓は、屋外に風にさらされて、外窓に風の風圧が作用することなどにより、経年的に、障子と枠体との間や他の部材間に隙間が形成されることがあった。外窓に風の風圧が作用すると、外窓における障子と枠体との間などの隙間から、例えば台風などの場合に、内窓側に風が浸入して、内窓に風圧が作用することがあった。これは、外窓と内窓とを同時に設ける場合にも、リフォームにより内窓を追加する場合にも、起こり得る。
【００７３】
ここで、内窓が屋外側の面で風を受けた場合には、内窓における屋外側の面で受けた風圧による力は、内窓が引き違い窓で構成される場合に、内窓の内障子及び外障子を伝達されて、内障子と外障子との召合せ部に集中しやすい。そのため、内障子と外障子との召合せ部において、風圧に対する強度が確保されることが望まれる。
【００７４】
これに対して、本発明に係る内窓１においては、上枠２１の上部における召合せ部８０に補強部材３０を配置し、補強部材３０と上枠カバー部材５０との間にスポンジ部材４０を配置して、枠部１０の上部の下面１０ａに上枠２１を固定した。これにより、本発明に係る内窓１は、風圧に対する強度を向上できる。
【００７５】
以上の構成を備える本実施形態に係る内窓１によれば、以下の効果が奏される。
建物の開口部に設けられた枠体２０と、枠体２０内に配置される第１障子６０，第２障子７０と、枠体２０の上枠２１を上方側から覆うように形成されると上枠カバー部材５０と、上枠２１と上枠カバー部材５０との間に配置され、弾性反発力を発現可能なスポンジ部材４０と、を備えた内窓１において、スポンジ部材４０が弾性反発力を発現した状態で上枠２１を支持する調整固定ネジ１０２を有する。
そのため、調整固定ネジ１０２がスポンジ部材４０が弾性反発力を発現した状態で上枠２１を支持するため、上枠２１と第１障子６０，第２障子７０との間に、隙間を設けることができる。これにより、第１障子６０，第２障子７０を、スムーズに開閉することができる。
【００７６】
また、本実施形態では、上枠２１の上部における召合せ部８０に補強部材３０を配置し、補強部材３０と上枠カバー部材５０との間にスポンジ部材４０を配置して、枠部１０の上部の下面１０ａに上枠２１を固定した。
これにより、内窓１に風圧が作用しても、召合せ部８０における上枠２１において補強部材３０で受けた力をスポンジ部材４０で分散させることができる。よって、風圧に対する強度を向上できる。
また、経年劣化や寸法誤差などにより、建物に設けられる枠部１０が見込方向において反って形成されていても、上枠カバー部材５０を枠部１０の下面１０ａの反りに沿わせて取り付けて、スポンジ部材４０により反りを吸収することで、上枠２１を水平に取り付けることができる。
【００７７】
また、本実施形態では、補強部材３０は、上下方向に延びる外側面３０ａを有し、上枠カバー部材５０は、補強部材３０の外側面３０ａの見込方向の位置を規制する内側面５０ａを有する。これにより、上枠カバー部材５０などの召合せ部８０に配置される部材に対して回転しようとする風圧による力が作用しても、上枠２１の見込方向の位置が規制されることで、召合せ部８０に配置される部材のねじれや回転が低減されて、風圧に対する強度を向上できる。
【００７８】
また、本実施形態では、上枠２１における屋内側の端部の下端部２１３ａは、上枠カバー部材５０における屋内側の端部の下端部５２ａよりも下方に位置する。そのため、上枠２１が上枠カバー部材５０の内部に入り込むことが抑制されて、上枠２１の上枠下方延出壁部２１３の下端部２１３ａは、上枠カバー部材５０の側面板５２の下端部５２ａよりも下方に突出する。これにより、外障子７０の上部が屋内側に脱落しないように、外障子７０の上部を規制することができる。
【００７９】
また、本実施形態では、上枠２１は、樹脂製である。そのため、樹脂製の上枠２１を補強部材３０で補強するため、補強部材３０により、上枠２１をより強固に補強することができる。
【００８０】
また、本実施形態においては、弾性反発力を発現可能なスポンジ部材４０が取り付けられた上枠カバー部材５０を、複数の固定ネジ１０１により、建物の開口部に設けられた枠部１０の上部の下面１０ａに固定する工程（第１工程）と、補強部材３０が配置された上枠２１を、補強部材３０がスポンジ部材４０を上枠カバー部材５０側に押圧するように配置した状態で、複数の調整固定ネジ１０２により、上枠２１を枠部１０の上部の下面１０ａに仮固定する工程（第２工程）と、窓枠２０に、第１障子６０及び第２障子７０を組み込む工程（第３工程）と、を備える。これにより、例えば、経年劣化などにより枠部１０が反っていても、スポンジ部材４０が、枠部１０の反りに追従して変形するため、スポンジ部材４０により反りを吸収することで、上枠２１が見込方向に対して傾くことを抑制して、上枠２１を見込方向に対して水平に取り付けることができる。従って、上枠２１を、枠部１０の上部の下面１０ａに、容易に固定することができる。
【００８１】
また、本実施形態においては、枠部１０の上部の下面１０ａに対する上枠２１の位置を調整する（第４工程）を備える。これにより、仮固定した上枠２１を、調整固定ネジ１０２により、枠部１０の上部の下面１０ａに本固定することができる。よって、枠部１０の上部の下面１０ａに、上枠２１を安定して固定できる。
【００８２】
なお、本発明は上記実施形態に限定されるものではなく、本発明の目的を達成できる範囲での変形、改良等は本発明に含まれる。
上記実施形態では、上枠２１と補強部材３０とを別体で構成したが、これに限定されない。上枠２１と補強部材３０とを一体で構成してもよい。
【００８３】
上記実施形態では、内窓を引き違い窓により構成したが、これに限定されない。例えば、内窓を、枠に直接ガラスを固定した開閉できない窓、いわゆるＦＩＸ窓（固定窓）で構成してもよいし、片方の窓を固定した片開きの窓により構成してもよい。
【００８４】
上記実施形態では、スポンジ部材４０を、内窓１の見付方向の全域に亘って配置したが、これに限定されない。スポンジ部材４０は、補強部材３０と上枠カバー部材５０との間に配置されていればよく、補強部材３０から伝達される力などを考慮して、スポンジ部材４０の大きさ（見付方向及び見込方向の長さ）は適宜設定可能である。
また、上記実施形態では、スポンジ部材４０を見込方向に離間して一対（２つ）設けたが、これに限定されない。例えば、スポンジ部材を、１つ又は３つ以上設けてもよい。
【００８５】
上記実施形態では、上枠カバー部材５０の内側面５０ａが、補強部材３０の外側面３０ａを規制するように構成したが、互いの規制する内側面及び外側面は、これに限定されない。互いの規制する面は、内側の面であってもよいし、外側の面であってもよい。例えば、上枠カバー部材５０の外面が、補強部材３０の内面を規制するように構成してもよい。
【符号の説明】
【００８６】
１…内窓
１０…枠部
１０ａ…下面（枠部下面）
２０…窓枠（枠体）
２１…上枠
３０…補強部材（補強部）
３０ａ…外側面（第１側面）
４０…スポンジ部材（弾性部材）
５０…上枠カバー部材（カバー部材）
５０ａ…内側面（第２側面）
５２ａ…下端部
６０…内障子（第１障子、障子）
７０…外障子（第２障子、障子）
８０…召合せ部
１００…二重窓
１０２…調整固定ネジ（支持構造）
２１３ａ…下端部
【図１】
2018059291.tif 000003
【図２】
2018059291.tif 000004
【図３】
2018059291.tif 000005
【図４】
2018059291.tif 000006
【図５】
2018059291.tif 000007
【図６】
2018059291.tif 000008